(57)【要約】【課題】  取り替え可能なリング状部材によって構成される、高いファッション性を有する指輪を提供する。【解決手段】  リング状部材１および２を備え、各リング状部材１および２は中央で分断され、両先端部がねじれることにより円弧部９（１０）の両先端部の間に開放部３（４）が設けられる。両先端部は宝飾部５乃至８を備え、一方の宝飾部５（６）は相対的に大きく、他方の宝飾部７（８）は相対的に小さい。大きい方の宝飾部５（６）は、立体的で大きな宝飾部とすることが可能である。第１および第２リング状部材１（２）を対向して装着すると、一方のリング状部材の大きい方の宝飾部５（６）が他方のリング状部材の開放部４（３）に収まり、１つの指輪を装着しているかのような印象を与える。各リング状部材１（２）は取り替えが自在であり、且つ極めて容易に組み合わせることができる。また、各リング状部材１（２）は単独での使用が可能である。【選択図】      図５
2005245713.tif 000002
【特許請求の範囲】
【請求項１】
分断され円弧状に形成されたリング状部材からなる指輪であって、前記リング状部材の円弧部は両先端部が互いに前記円弧部に直交する向きに反対方向に捻られて歪曲し、前記両先端部の間には開放部を有し、前記両先端部はそれぞれ宝飾部を備えることを特徴とする指輪。
【請求項２】
請求項１に記載の指輪であって、
前記宝飾部は前記リング状部材と一体に形成されていることを特徴とする指輪。
【請求項３】
請求項１および２に記載の指輪であって、
前記先端部のうち一方に設けられた前記宝飾部は相対的に大きく、他方に設けられた前記宝飾部は相対的に小さいことを特徴とする指輪。
【請求項４】
分断され円弧状に形成されたリング状部材からなる組み合わせ指輪であって、
第１リング状部材の円弧部は、両先端部が互いに前記円弧部に直交する向きに反対方向に捻られて歪曲し、前記両先端部の間には第１開放部を有し、前記両先端部はそれぞれ大小の第１宝飾部を備え、
第２リング状部材の円弧部は、両先端部が互いに前記円弧部に直交する向きに反対方向に捻られて歪曲し、前記両先端部の間には第２開放部を有し、前記両先端部はそれぞれ大小の第２宝飾部を備え、
前記第１リング状部材と前記第２リング状部材とを対向して装着すると、大きい方の前記第１宝飾部が前記第２開放部に係合し、大きい方の前記第２宝飾部が第１開放部に係合することを特徴とする組み合わせ指輪。
【発明の詳細な説明】
【技術分野】
【０００１】
本発明は、取り替え可能な複数のリング状部材によって構成される、高いファッション性を有する指輪に関する。
【背景技術】
【０００２】
指輪には様々な用途のものがある。中でも装飾品として用いられる指輪は様々な形状、色彩、材質を備えており、使用者は場所や服装、あるいは気分等によって好みの指輪を選択し装着する。したがって、使用者は装着する場合に応じて多数の指輪を所有することになる。また、１つの指輪が提供するデザインは通常１つであるため、使用者はいずれそのデザインに飽きてしまい、別の指輪を買い求めようと欲するのが常である。
【０００３】
しかしながら、装飾品としての指輪には高価なものが多いので、多数購入すると使用者には大きな経済的負担がかかってしまう。この問題を解決すべく、複数の部材を組み合わせて１つの指輪を構成することにより、経済的負担を軽減し且つ複数の異なるデザインを楽しむことのできる指輪が考案されている。例えば、特許文献１乃至４に記載の指輪がこれにあたる。
【特許文献１】特開２００１−２９１１２
【特許文献２】特開平７−１５５２１４
【特許文献３】特開２００３−１３５１１３
【特許文献４】実用新案登録第３０７３５８４号
【発明の開示】
【発明が解決しようとする課題】
【０００４】
特許文献１に記載の組み合わせ指輪は、２つの部材を組み合わせて構成することにより、使用者が自由にデザインを変更できるようにしたものである。この指輪は、使用する際には必ず２つの部材を組み合わせなければならない。すなわち、各部材を単独で使用することはできない。また、部材の構造上、形状が制限されるとともに、立体的な宝飾部を設けることが困難である。
【０００５】
特許文献２に記載の組み合わせ指輪は３つのリング部材から成り、うち外リングおよび中間リングは単独では使用できないが、内リングは単独での使用が可能である。ただし、組み合わせの都合上、内リングのデザインはシンプルなものでなければならず、変更できるのは材質や色彩に限られる。
【０００６】
特許文献３に記載の装身具は、リング体の先端部を交叉させて互いの先端部の間に間隔を設け、一方の先端部に交換可能な宝飾部を取り付けたものである。この指輪においては、宝飾部を様々にデザインすることが可能である。しかしその反面、宝飾部を紛失してしまう可能性が高い。
【０００７】
特許文献４に記載の組指輪は、単独でも使用できる複数の指輪を組み合わせてデザインのバリエーションを楽しむものである。各指輪にそれぞれ異なった装飾を施すことが可能である反面、同一の指に隣接して装着するため、各指輪よりも幅が広く立体的な宝飾部を有する複数の指輪を同時に用いることができない。
このように、従来の組み合わせ指輪には種々の解決すべき課題があった。
【課題を解決するための手段】
【０００８】
上記課題を解決するために、本発明が提供する指輪は、分断され円弧状に形成されたリング状部材からなる。このリング状部材の円弧部は両先端部が互いに円弧部に直交する向きに反対方向に捻られて歪曲し、両先端部の間には開放部を有し、両先端部はそれぞれ宝飾部を備える。
宝飾部はリング状部材と一体に形成されている。
先端部のうち一方に設けられた宝飾部は相対的に大きく、他方に設けられた宝飾部は相対的に小さい。
【０００９】
また、本発明による組み合わせ指輪は、分断され円弧状に形成されたリング状部材からなる。第１リング状部材の円弧部は、両先端部が互いに円弧部に直交する向きに反対方向に捻られて歪曲し、両先端部の間には第１開放部を有し、両先端部はそれぞれ大小の第１宝飾部を備え、第２リング状部材の円弧部は、両先端部が互いに円弧部に直交する向きに反対方向に捻られて歪曲し、両先端部の間には第２開放部を有し、両先端部はそれぞれ大小の第２宝飾部を備え、第１リング状部材と第２リング状部材とを対向して装着すると、大きい方の第１宝飾部が第２開放部に係合し、大きい方の第２宝飾部が第１開放部に係合する。
【発明の効果】
【００１０】
本発明による指輪は、複数のリング状部材を組み合わせて構成される。リング状部材の材質や宝飾部のデザインと、リング状部材の組み合わせとは、使用者が自由に選択および変更することができる。したがって、指輪の数に比べて多くのデザインを楽しめる上、多数の指輪を所有するよりも経済的である。
また、２つのリング状部材を対向して装着すると、一方のリング状部材の宝飾部は他方のリング状部材の開放部に収まる。これにより、互いの宝飾部がぶつかりあうことがないので、宝飾部を立体的且つ大きくデザインすることができる。さらに、２つのリング状部材は互いに指まわりの回転を抑制する。
各リング状部材は、宝飾部のデザインを立体的且つ大きくできることから、単独でも全く違和感無く使用できる程度の存在感を有する。
【発明を実施するための最良の形態】
【００１１】
図１乃至図８を参照して、本発明を説明する。
【実施例１】
【００１２】
まず、図１乃至図７を参照して本発明の第１の実施例を説明する。
図７に示すのは本発明の第１の実施例である。本実施例においては、２つのリング状部材を選択的に組み合わせることによって、本発明による指輪を構成する。
第１リング状部材１と第２リング状部材２とを、それぞれ図１および図２に示す。各リング状部材１および２はそれぞれ分断されて円弧部を形成し、円弧部の両先端部は互いに反対方向に捻られて歪曲している。すなわち、コイルスプリングの一節を切断した形状である。図３は第１リング状部材１を上から見た場合の平面図である。同図から明らかなように、両先端部を捻ることによって開放部３が設けられる。
【００１３】
図４は第１リング状部材１を横から見た場合の平面図である。同図に示すように、装飾は円弧部９の先端に直接施される。宝飾部５および７は第１リング状部材１と一体化しており、宝飾部のみを紛失するおそれはない。
第２リング状部材２の形状は、第１リング状部材１と同一である。すなわち、リング状部材２は分断されて円弧部を形成し、円弧部の両先端部は互いに反対方向に捻られて歪曲している。これによって両先端部の間に開放部４が設けられる。また、装飾は円弧部１０の先端に直接施される。したがって、宝飾部６および８は第２リング状部材２と一体化しており、宝飾部のみを紛失するおそれはない。
【００１４】
同一のリング状部材においては、一方の先端部の宝飾部５（６）が相対的に大きく、他方の先端部の宝飾部７（８）が相対的に小さい。第１リング状部材１と第２リング状部材２とを対向して装着すると、一方のリング状部材の大きい方の宝飾部５（６）は、他方のリング状部材の先端部の間に設けられた開放部４（３）に収まる。そのため、両リング状部材の大きい方の宝飾部５と６とがぶつかり合うことはない。
【００１５】
このとき、図５および図７に示すように、２つのリング状部材１および２の全宝飾部５乃至８はほぼ一直線に並び、１つの指輪を装着しているかのような印象を与える。さらに、各リング状部材１および２の宝飾部５乃至８が組み合わされることにより、リング状部材１および２は指まわりの回転を抑制される。
【００１６】
本実施例においては、第１リング状部材１の宝飾部５の蝶の羽の一部と第２リング状部材２の宝飾部６の花とが３次元的に重なる。第１リング状部材１の宝飾部５の蝶が第２リング状部材２の宝飾部６の花に隣接し且つ部分的に覆うことから、図５および図６に示すように、まるで蝶が花にとまっているような雰囲気が生まれる。
【００１７】
本実施例においては、各リング状部材１および２の大きい方の宝飾部５および６はそれぞれ蝶と花とをモチーフとしてデザインされているが、宝飾部のモチーフはこれに限定されることはなく、何であってもよい。また、図示する宝飾部５のように穿孔により装飾性を高めてもよいし、宝飾部６のように成形するのみでもよい。
【００１８】
さらに、リング状部材１および２は、例えば銀や金などの貴金属から成形してもよいし、別の材質であってもよい。使用者はこれを自由に選択することができる。したがって、材質の違いによる色彩や質感の相違を楽しむこともできる。
【００１９】
各リング状部材は取り替え可能である。また、リング状部材の組み合わせは、使用者の意向に沿って変化させてよい。本実施例のように蝶と花とを組み合わせてもよいし、例えば蛇とカエル、てんとう虫とクローバーなどの組み合わせも考えられる。使用者は、好みに合った宝飾部を備えたリング状部材を適宜選択し、組み合わせの妙を楽しむことができる。
【００２０】
各宝飾部には、宝石など、各リング状部材とは別の部材による装飾を施すことも可能である。本実施例においては、各リング状部材の宝飾部に、同種および／または同色の宝石１１乃至１４を埋め込んである。宝石の種類や形状、色彩は自由に変更することができる。また、こうした装飾は必ずしも施さなくてもよい。
大きい方の宝飾部５および６のデザインは立体的且つ大きくすることが可能である。宝飾部を立体的にすることにより、デザインの可能性が広がるとともに、平面的な場合よりも華やかさや存在感が増す。
【００２１】
前述したように、本実施例においては複数のリング状部材を組み合わせて使用する。ただし、本発明の提供する指輪は、リング状部材同士を直接組み合わせるのではなく、同一の指に隣接して装着するだけでよいため、組み合わせが極めて容易であるという利点がある。また、図７に示す本発明の第１の実施例においては本発明による指輪を第４指に装着しているが、各リング状部材は、同一の指であればどの指に装着してもよい。各リング状部材には開放部３および４が設けられているので、装着できる指のサイズは一般的な分断部のないリング部材の場合よりも幅広い。したがって、どの指に装着しても支障は無い。また、使用者の指の長さによっては、３個以上の装着も可能であり、ファッション性はより高められる。
【実施例２】
【００２２】
次に、図１、図３、図４および図８を参照して本発明の第２の実施例を説明する。
図１、図３および図４に示すのは、本実施例において用いられるリング状部材１である。このリング状部材１は第１の実施例で用いたものと同一である。ただし、本実施例では１本の指に１つのリング状部材１のみを装着する。これを図８に示す。
【００２３】
リング状部材１の形状は、第１の実施例について説明したとおりである。円弧部９の先端に設けられた宝飾部５が立体的且つ大きいことから、リング状部材は単独でも十分に使用可能な装飾性および存在感を有する。
リング状部材１は中央を分断され、開放部３を備えているので、対応する指のサイズが幅広い。したがって、使用者はどの指に装着してもよい。図８に示す本実施例においては第４指に装着するが、他の指に装着しても構わない。
【００２４】
また、開放部が設けられることにより、第１リング状部材１の大きい方の宝飾部５と小さい方の宝飾部７とは離隔する。したがって、分断部のないリング部材からなる一般的な指輪とは違った趣を楽しむことができる。ただし、第１の実施例のように２つのリング状部材１および２を組み合わせた場合に比べるとやや安定性に欠け、指まわりに回転しやすい。しかし、開放部を有するため、指のサイズへの合致性は開放部に圧力を加えることにより微調整が可能であり、環状のリングとは異なる。
【００２５】
本発明の第１の実施例について前述したとおり、第２の実施例においても、リング状部材の材質や宝飾部に用いる宝石の種類、形状および色彩等は、使用者の好みに応じて変更してよい。図示した本発明の第２の実施例においては蝶をモチーフとした宝飾部５を備えたリング状部材１を用いたが、宝飾部のデザインはこれに限定されない。リング状部材２を単独で装着してもよい。
また、本実施例で用いるリング状部材は、さらに立体的および／またはさらに大きな宝飾部を備えることも可能である。例えば同じモチーフの宝飾部を備えていても、宝飾部の大きさが異なっていれば、雰囲気も異なったものとなる。
【図面の簡単な説明】
【００２６】
【図１】本発明による指輪の第１リング状部材の斜視図。
【図２】本発明による指輪の第２リング状部材の斜視図。
【図３】本発明による指輪の第１リング状部材を上から見た場合の平面図。
【図４】本発明による指輪の第１リング状部材を横から見た場合の平面図。
【図５】本発明による指輪の第１および第２リング状部材を組み合わせた場合の平面図。
【図６】本発明による指輪の第１および第２リング状部材を組み合わせた場合の正面図。
【図７】本発明の第１の実施例を示す図。
【図８】本発明の第２の実施例を示す図。
【符号の説明】
【００２７】
１    第１リング状部材
２    第２リング状部材
３，４    開放部
５，６    宝飾部（大）
７，８    宝飾部（小）
９，１０  円弧部
１１，１２，１３，１４    宝石
【図１】
2005245713.tif 000003
【図２】
2005245713.tif 000004
【図３】
2005245713.tif 000005
【図４】
2005245713.tif 000006
【図５】
2005245713.tif 000007
【図６】
2005245713.tif 000008
【図７】
2005245713.tif 000009
【図８】
2005245713.tif 000010